(57)【特許請求の範囲】
【請求項１】
複数のユニットから成り、それらの基端部を積層して成る共通基端部を有する複数の鍵ユニットと、前記複数の鍵ユニットの共通基端部を保持する支持部材とを有し、前記複数の鍵ユニットを前記支持部材に対して鍵並び方向に配設して構成される鍵盤装置において、
前記複数の各ユニットは、複数の鍵が当該ユニットの基端部で一体に接続されて成り、
前記複数の鍵は、前記基端部と、鍵本体部と、該鍵本体部を前記基端部に対して押離鍵方向に揺動自在に連結する連結部とを有して構成され、
前記支持部材に配設された各鍵ユニットにおける、前記支持部材に最も近い側のユニットの基端部には、把持部が固定的に設けられ、該把持部は、前記支持部材に最も遠い側のユニットの方向に突設され、
前記各ユニットの連結部に形成された透孔及び／又は前記各ユニット中の互いに隣接する鍵の連結部同士の間に形成された間隙によって、前記支持部材に最も近い側のユニット以外のユニットにおいて前記基端部の積層方向に貫通している領域が生じており、前記把持部は、平面視における前記貫通している領域内において、前記支持部材に最も遠い側のユニットの方向に延設されていることを特徴とする鍵盤装置。
【請求項２】
前記把持部は、前記支持部材に最も遠い側のユニットの連結部よりも突出していることを特徴とする請求項１記載の鍵盤装置。
【請求項３】
前記把持部は、前記支持部材に最も近い側のユニットの基端部の、前記鍵本体部がある側の端部から延設されていることを特徴とする請求項１または２記載の鍵盤装置。
【請求項４】
複数のユニットから成り、それらの基端部を積層して成る共通基端部を有する複数の鍵ユニットと、前記複数の鍵ユニットの共通基端部を保持する支持部材とを有し、前記複数の鍵ユニットを前記支持部材に対して鍵並び方向に配設して構成される鍵盤装置において、
前記複数の各ユニットは、複数の鍵が当該ユニットの基端部で一体に接続されて成り、
前記複数の鍵は、前記基端部と、鍵本体部と、該鍵本体部を前記基端部に対して押離鍵方向に揺動自在に連結する連結部とを有して構成され、
前記支持部材に配設された各鍵ユニットにおける、積層配置された基端部のうち積層方向におけるいずれか一方の端側の基端部には、把持部が固定的に設けられ、該把持部は、前記いずれか一方の端側の基端部に最も遠い側の基端部の方向に突設され、
前記各ユニットの連結部に形成された透孔及び／又は前記各ユニット中の互いに隣接する鍵の連結部同士の間に形成された間隙によって、前記把持部が設けられたユニット以外のユニットにおいて前記基端部の積層方向に貫通している領域が生じており、
前記把持部は、平面視における前記貫通している領域内において、前記いずれか一方の端側の基端部に最も遠い側の基端部の方向に延設されていることを特徴とする鍵盤装置。
【請求項５】
前記把持部は、前記いずれか一方の端側のユニットに最も遠い側のユニットの連結部よりも突出していることを特徴とする請求項４記載の鍵盤装置。
【請求項６】
前記把持部は、前記いずれか一方の端側の基端部の、前記鍵本体部がある側の端部から延設されていることを特徴とする請求項４または５記載の鍵盤装置。
【発明の詳細な説明】
【技術分野】
【０００１】
本発明は、複数の鍵ユニットが支持部材に配設された鍵盤装置に関する。
【背景技術】
【０００２】
従来、複数の鍵ユニットが支持部材に配設された鍵盤装置が知られている。例えば、下記特許文献１の鍵盤装置では、鍵ユニットの共通基端部を鍵フレーム等の支持部材に固着することで、各鍵ユニットが支持部材に装着される。鍵ユニットは、２つの白鍵ユニットの基端部の上に黒鍵ユニットの基端部が積層されて成り、それら積層された基端部同士が軽く嵌合されたものが共通基端部となっている。
【０００３】
そして、作業者が、鍵ユニットを装着／取り外しするには、例えば、共通基端部がばらけないように、好ましくは共通基端部を把持して支持部材の適所に共通基端部を載置し、ネジ等で固着する。特に、装着されている鍵ユニットを支持部材から取り外す際には、共通基端部の側方に突出形成された鉤部等に指等を引っかけて上方に外す操作をすることができる。
【特許文献１】特開２００２−６２８７６号公報
【発明の開示】
【発明が解決しようとする課題】
【０００４】
しかしながら、手による鍵ユニットの把持の仕方によっては、共通基端部がばらけやすく、また、熟練していない作業者にとっては、鍵ユニットのどこを把持すれば適切なのかがわからず、着脱の作業性が悪い。
【０００５】
特に、支持部材から取り外そうとする鍵ユニットの両側に、他の鍵ユニットが隣接して装着されている場合は、取り外し対象となる鍵ユニットと隣接する鍵ユニットとの間には間隙がほとんどない。そのため、取り外し対象の鍵ユニットの共通基端部の上記鉤部に指を掛けることができない。それだけでなく、指を共通基端部に掛けるためのスペースも無いことから、共通基端部自体を把持することが困難である。そのため、鍵ユニットを、共通基端部でばらけないように支持部材に対して着脱することが容易でないという問題があった。
【０００６】
また、一般に、鍵ユニットは、樹脂製で金型により成形されるが、成形後は、金型から白鍵、黒鍵ユニットを取り出し積層して１つの鍵ユニットとして梱包し、それを組み立て場に運んで、鍵盤装置に組み付けるという作業がなされる。しかし、この作業においても、鍵ユニットを、共通基端部でばらけないように把持するのは容易でなく、成形後から組み付けまでの作業性も良くないものであった。例えば、鍵本体部を把持すると、各ユニットが鍵並び方向において不揃いとなり、あるいはストレスがかかり、組み付け後に鍵間が開いてしまうようなことも想定される。
【０００７】
本発明は上記従来技術の問題を解決するためになされたものであり、その目的は、支持部材に対する鍵ユニットの着脱作業を容易にすることができる鍵盤装置を提供することにある。
【課題を解決するための手段】
【０００８】
上記目的を達成するために本発明の請求項１の鍵盤装置は、複数のユニットから成り、それらの基端部を積層して成る共通基端部（３０、１３０）を有する複数の鍵ユニット（ＫＵ、ＫＵｘ）と、前記複数の鍵ユニットの共通基端部を保持する支持部材（１０、１１０）とを有し、前記複数の鍵ユニットを前記支持部材に対して鍵並び方向に配設して構成される鍵盤装置において、前記複数の各ユニットは、複数の鍵が当該ユニットの基端部（２１、４１、１４１）で一体に接続されて成り、前記複数の鍵は、前記基端部と、鍵本体部（２３、４３）と、該鍵本体部を前記基端部に対して押離鍵方向に揺動自在に連結する連結部（２２、４２）とを有して構成され、前記支持部材に配設された各鍵ユニットにおける、前記支持部材に最も近い側のユニット（ＫＵＷ２、ＫＵＢｘ）の基端部には、把持部（３１、３５、３６、１３１）が固定的に設けられ、該把持部は、前記支持部材に最も遠い側のユニット（ＫＵＢ、ＫＵＷ２ｘ）の方向に突設され、前記各ユニットの連結部に形成された透孔及び／又は前記各ユニット中の互いに隣接する鍵の連結部同士の間に形成された間隙によって、前記支持部材に最も近い側のユニット以外のユニットにおいて前記基端部の積層方向に貫通している領域が生じており、前記把持部は、平面視における前記貫通している領域内において、前記支持部材に最も遠い側のユニットの方向に延設されていることを特徴とする。
【００１０】
上記目的を達成するために本発明の請求項４の鍵盤装置は、複数のユニットから成り、それらの基端部を積層して成る共通基端部を有する複数の鍵ユニットと、前記複数の鍵ユニットの共通基端部を保持する支持部材とを有し、前記複数の鍵ユニットを前記支持部材に対して鍵並び方向に配設して構成される鍵盤装置において、前記複数の各ユニットは、複数の鍵が当該ユニットの基端部で一体に接続されて成り、前記複数の鍵は、前記基端部と、鍵本体部と、該鍵本体部を前記基端部に対して押離鍵方向に揺動自在に連結する連結部とを有して構成され、前記支持部材に配設された各鍵ユニットにおける、積層配置された基端部のうち積層方向におけるいずれか一方の端側の基端部には、把持部が固定的に設けられ、該把持部は、前記いずれか一方の端側の基端部に最も遠い側の基端部の方向に突設され、前記各ユニットの連結部に形成された透孔及び／又は前記各ユニット中の互いに隣接する鍵の連結部同士の間に形成された間隙によって、前記把持部が設けられたユニット以外のユニットにおいて前記基端部の積層方向に貫通している領域が生じており、前記把持部は、平面視における前記貫通している領域内において、前記いずれか一方の端側の基端部に最も遠い側の基端部の方向に延設されていることを特徴とする。
【００１３】
なお、上記括弧内の符号は例示である。
【発明の効果】
【００１４】
本発明の請求項１によれば、支持部材に対する鍵ユニットの着脱作業を容易にすると共に、鍵ユニットを安定して保持することができる。
【００１６】
本発明の請求項４によれば、支持部材に対する鍵ユニットの着脱作業を容易にすることができる。また、金型による成形後に、金型から取り出して１つの鍵ユニットとしてまとめて扱う際の作業性を向上させることができる。
【００１７】
請求項２または５によれば、把持部を素手で把持しやすくして、作業性を向上させることができる。
【発明を実施するための最良の形態】
【００１８】
（第１の実施の形態）
以下、本発明の実施の形態を図面を参照して説明する。
【００１９】
図１は、本発明の第１の実施の形態に係る鍵盤装置の縦断面図である。この鍵盤装置１は、電子鍵盤楽器として構成される。以降、鍵盤装置１の奏者側（同図左方）を前方と呼称する。
【００２０】
図１に示すように、鍵盤装置１において、上ケース６０と下ケース７０とで構成される筐体内に、鍵フレーム１０が配設される。鍵フレーム１０には、複数の白鍵２０及び複数の黒鍵４０から成る鍵ユニットＫＵが複数配設される。各鍵ユニットＫＵの共通基端部３０が鍵フレーム１０に固定的に保持され、白鍵２０、黒鍵４０の各々の自由端部が上下方向に回動（乃至揺動）自在にされている。複数の鍵ユニットＫＵはいずれも同様に構成されるが、その詳細な構成については後述する。
【００２１】
鍵フレーム１０は、下ケース７０に対して、複数のネジ７２、７３、７４で結合される。また、下ケース７０、上ケース６０及び鍵フレーム１０が、各々の前部において、複数のネジ７１で共締めにより結合される。さらに、下ケース７０と上ケース６０とが、各々の後部の適所において複数のネジで結合される（図示せず）。
【００２２】
鍵フレーム１０には、白鍵２０、黒鍵４０の各々に対応して、質量体５０（５０Ｗ、５０Ｂ）が設けられる。各質量体５０Ｗ、５０Ｂは、各々の軸受け部５１で、鍵フレーム１０に形成された質量体支持リブ１３に設けられた回動軸１４を中心に上下方向に回動自在に支持される。
【００２３】
白鍵２０、黒鍵４０の各前半部の下部には、駆動用垂下片２９、４５がそれぞれ垂下して一体に設けられる。駆動用垂下片２９、４５の下端部には、ゴム等の弾性部材が固着されており（図示せず）、駆動用垂下片２９、４５の下端部が、対応する質量体５０Ｗ、５０Ｂの各下側係合片５３を直接駆動する駆動部として機能する。下側係合片５３が駆動されると、質量体５０は、対応する鍵と連動して回動し、回動することで、対応する鍵に対して適当な慣性力を付与する。
【００２４】
鍵フレーム１０の後部において、上側に上限ストッパ８３、下側に下限ストッパ８４が設けられる。質量体５０の後端部５２が下限ストッパ８４に当接することで、質量体５０及びそれに対応する鍵の非押鍵位置（初期位置）が規制される。一方、質量体５０の後端部５２が上限ストッパ８３に当接することで、質量体５０及びそれに対応する鍵の押鍵終了位置（回動終了位置）が規制される。
【００２５】
また、鍵フレーム１０に設けられた基板８０上に、押鍵スイッチ８１が白鍵２０、黒鍵４０の各々に対応して設けられ、これらの押鍵スイッチ８１が、対応する鍵の押下操作を検出する。押鍵スイッチ８１による検出結果に基づき、不図示の楽音発生部により楽音が発生する。
【００２６】
また、鍵フレーム１０の前部には押鍵動作の案内をするキーガイド部１２が各白鍵２０に対応して設けられる。白鍵２０の前端部２０ａには、キーガイド部１２に係合する不図示の被キーガイド部が形成され、両者の係合により、白鍵２０の前端部２０ａは、その左右方向の移動が規制されて、上下方向に適切に動作するようになっている。
【００２７】
図２は、１つの鍵ユニットＫＵの平面図である。鍵ユニットＫＵは、２つの白鍵ユニットＫＵＷ（ＫＵＷ１、ＫＵＷ２）と１つの黒鍵ユニットＫＵＢから成る。同図においては、鍵ユニットＫＵＢが仮想線で示されている。図３は、鍵ユニットＫＵの後半部の側面図である。
【００２８】
本実施の形態では、１つの鍵ユニットＫＵは、１オクターブを単位として構成されるが、これに限られず、複数鍵を含む構成であればよく、２オクターブ以上の鍵が一体とされた構成であってもよい。まず、図２、図３に示すように、白鍵ユニットＫＵＷは、音名でいう「Ｄ、Ｆ、Ａ」の白鍵２０が基端部２１で一体に接続された第１白鍵ユニットＫＵＷ１と、「Ｃ、Ｅ、Ｇ、Ｂ」の白鍵２０が基端部２１で一体に接続された第２白鍵ユニットＫＵＷ２とで成る。黒鍵ユニットＫＵＢは、音名でいう「Ｃ＃、Ｄ＃、Ｆ＃、Ｇ＃、Ａ＃」の黒鍵４０が基端部４１で一体に接続されてなる。
【００２９】
第１白鍵ユニットＫＵＷ１、第２白鍵ユニットＫＵＷ２は、それぞれ、各々の基端部２１に、いずれも薄板状の垂直ヒンジ部２４及び水平ヒンジ２２を介して白鍵本体２３が連結されて構成される。基端部２１に連接される垂直ヒンジ部２４は、左右方向に撓みやすく、自由状態においては、白鍵本体２３の自由端部の鍵並び方向（左右方向）への揺動を許容する。
【００３０】
垂直ヒンジ部２４の前側に連接される水平ヒンジ２２は、上下方向に撓みやすく、自由状態において、基端部２１及び垂直ヒンジ部２４に対して白鍵本体２３の自由端部を押離鍵方向（上下方向）に回動自在にする。また、白鍵本体２３の後部上部には、黒鍵４０が回動するときに黒鍵４０との干渉を回避するための逃がし部２５が形成されている（図３参照）。
【００３１】
黒鍵ユニットＫＵＢは、基端部４１に、薄板状の水平ヒンジ４２を介して黒鍵本体４３が連結されて構成される。黒鍵本体４３の後部における、水平ヒンジ４２に連設される部分は、平板状部４３ａとなっている。平板状部４３ａは水平ヒンジ４２よりも少し厚い平坦な板状に形成され、その上面は、白鍵２０の鍵本体部２３の上面のうち逃がし部２５より前方部分と面一になっている（図３参照）。
【００３２】
図２に示すように、水平ヒンジ４２は、各黒鍵本体４３に対して２つ設けられ、互いに離間した位置に形成される。これにより、各黒鍵４０に対応して、基端部４１と黒鍵本体４３と２つの水平ヒンジ４２との内側に、それぞれ上下方向に貫通した透孔が形成される。例えば、図２において一部の透孔に符号を付したように、黒鍵４０のうちＣ＃鍵に対応して透孔４６Ａが形成され、Ａ＃に対応して透孔４６Ｂが形成される。
【００３３】
水平ヒンジ４２は、水平ヒンジ２２と同様に、基端部４１に対して黒鍵本体４３の自由端部を押離鍵方向に回動自在にする。白鍵本体２３、黒鍵本体４３の各回動中心は、厳密には、それぞれ、垂直ヒンジ部２４と水平ヒンジ２２との接続点ＰＷ、基端部４１と水平ヒンジ４２との接続点ＰＢである（図３参照）。
【００３４】
図３に示すように、下から順に、第２白鍵ユニットＫＵＷ２の基端部２１、第１白鍵ユニットＫＵＷ１の基端部２１、黒鍵ユニットＫＵＢの基端部４１が積層嵌合されて、これら基端部２１、２１、４１が共通基端部３０を構成する。また、基端部２１、２１、４１には、それぞれ、ネジ締結用穴２６、２６、４４が複数穿設されている。共通基端部３０の下部でもある、第２白鍵ユニットＫＵＷ２の基端部２１の下部には、互いに対向する当接面２７、２８が形成されている。
【００３５】
一方、図３に示すように、鍵フレーム１０における前後方向中央よりやや後方上部には、共通基端部３０が固着されるための固着部１５、１６が、当接面２７、２８に対応して形成されている。固着部１５、１６は、それぞれ、鍵フレーム１０から上方に突出した部分の前端面、後端面で成る。鍵フレーム１０における固着部１５、１６の前後方向中間位置には、ネジ締結用穴２６、４４に対応してネジ穴１７が複数形成されている。
【００３６】
共通基端部３０の当接面２７、２８を固着部１５、１６に当接対向させて、ネジ８２（図１参照）を、共通基端部３０のネジ締結用穴２６、４４を介してネジ穴１７に螺合することで、共通基端部３０が鍵フレーム１０に対して締結固着される。これによって、白鍵２０、黒鍵４０が演奏操作により回動する状態となる。なお、共通基端部３０の固定の態様はこれに限定されるものではない。
【００３７】
一体となった鍵ユニットＫＵにおいては、黒鍵４０の水平ヒンジ４２は、白鍵２０の水平ヒンジ２２よりも後方に位置する。従って、接続点ＰＢも接続点ＰＷより後方に位置する。これにより、黒鍵４０の回動支点に相当する基端部４１（厳密には接続点ＰＢ）から自由端部までの距離を極力長くして、黒鍵４０の演奏操作性を向上させている。また、垂直ヒンジ部２４と水平ヒンジ４２との前後方向の位置が略一致しており、白鍵２０の垂直ヒンジ部２４は、黒鍵４０の水平ヒンジ４２のほぼ直下に位置している。すなわち、垂直ヒンジ部２４は、水平ヒンジ４２の下方のスペースを有効利用して配設されている。さらに、垂直ヒンジ部２４の上端面は、前方に向かって下方にやや傾斜する傾斜面２４ａとなっている（図３参照）。これにより、黒鍵４０の下方への回動時に、黒鍵４０の水平ヒンジ４２と垂直ヒンジ部２４とが干渉することが回避されている。
【００３８】
図２、図３に示すように、第２白鍵ユニットＫＵＷ２の基端部２１には、互いに離間した突設片３１（３１Ａ、３１Ｂ）が一体に形成されている。図３に示すように、突設片３１は、第２白鍵ユニットＫＵＷ２の基端部２１の前部２１ａから前方に延びる水平延設部３２と、延設部３２の前端部から略上方に延びる鉛直延設部３３とから構成される。図２に示すように、突設片３１Ａ、３１Ｂの各鉛直延設部３３は、平面視において、透孔４６Ａ、４６Ｂ内に位置し、それらの鉛直延設部３３は、透孔４６Ａ、４６Ｂを貫通して、水平ヒンジ４２よりも上方に突出している。各鉛直延設部３３の上端部は、前方に屈曲した鉤部３４となっている（図３参照）。これらの突設片３１は、鍵ユニットＫＵの着脱時等に、鍵ユニットＫＵを把持する把持部として利用される。
【００３９】
かかる構成において、鍵ユニットＫＵの鍵フレーム１０に対する組み付けは、鍵フレーム１０に対して全質量体５０を組み付けた後になされる。作業者は、鍵ユニットＫＵを、前方から後方に移動させ、鍵ユニットＫＵのすべての駆動用垂下片２９、４５の下端部を、一斉に、対応する質量体５０の下側係合片５３に当接係合させる。その際、作業者は、鍵ユニットＫＵの共通基端部３０を把持できる場合は共通基端部３０を把持してもよいが、鍵ユニットＫＵの２つの突設片３１Ａ、３１Ｂを両手で把持することもできる。
【００４０】
ここで、共通基端部３０が固着部１５、１６（図３参照）に締結固着される前は、共通基端部３０は、基端部２１、２１、４１が積層嵌合された状態に過ぎず、いわゆる仮固定状態である。従って、突設片３１Ａ、３１Ｂを把持することで、基端部２１、２１、４１がばらけないように、且つ鍵ユニットＫＵに余計なストレスをかけないようにしながら、共通基端部３０を固着部１５、１６に係合させることができる。また、熟練していない作業者には、突設片３１Ａ、３１Ｂを把持すべきことを指導すれば、不適切な箇所を把持するおそれが少なくて済み、装着技能が円滑に習得される。
【００４１】
一方、鍵フレーム１０からある鍵ユニットＫＵを取り外す場合において、特に、その両側に、他の鍵ユニットＫＵが隣接して配設されている場合は、隣接する鍵ユニットＫＵとの間に間隙がほとんどないことから、当該鍵ユニットＫＵの共通基端部３０を把持しにくい。しかし、黒鍵４０の水平ヒンジ４２よりも上方に突出している突設片３１Ａ、３１Ｂを把持して、当該鍵ユニットＫＵを上方に動かせば、固着部１５、１６から共通基端部３０を容易に離脱させることができる。また、突設片３１には鉤部３４が設けられているので、突設片３１を指で直接把持する代わりに、所定の係止具を用い、鉤部３４に該係止具を引っ掛けて、鍵ユニットＫＵを取り外すようにしてもよい。
【００４２】
本実施の形態によれば、突設片３１を把持部として利用できるので、鍵フレーム１０に対する鍵ユニットＫＵの着脱作業を容易にすることができる。また、突設片３１は、基端部２１の前部２１ａに一体に連設され、突設片３１の鉛直延設部３３が、平面視における透孔４６内に位置して基端部２１に近接している。これにより、突設片３１を把持する際の力が共通基端部３０に直接的に伝わり、共通基端部３０自体を把持して鍵ユニットＫＵを保持するのとほぼ同じような作用で、鍵ユニットＫＵを安定して保持することができる。しかも、突設片３１が設けられる基端部２１は、最下層の第２白鍵ユニットＫＵＷ２の基端部２１であるので、突設片３１が把持されるとき、基端部４１、２１、２１の積層嵌合状態が崩れにくい（ばらけない）。
【００４３】
また、第１、第２白鍵ユニットＫＵＷ１、ＫＵＷ２、黒鍵ユニットＫＵＢを金型により成形し、成形後に、金型から取り出して、それらの基端部同士を積層して１つの鍵ユニットＫＵとして梱包し、それを組み立て場に運んで、鍵盤装置に組み付ける際にも、突設片３１を把持することで、鍵ユニットＫＵを、共通基端部３０でばらけないように把持することが容易である。よって、金型による成形後に、金型から取り出して１つの鍵ユニットとしてまとめて扱う際の作業性を向上させることができる。
【００４４】
なお、突設片３１は、黒鍵４０の水平ヒンジ４２よりも上方に突出させたが、これに限るものではない。すなわち、透孔４６を通じて指等で突設片３１の先端を把持できるか、あるいは突設片３１の鉤部３４に係止具等が係止可能な程度であれば、多少短くして、突設片３１の上端を水平ヒンジ４２よりも低くしてもよい。
【００４５】
（第２の実施の形態）
本発明の第２の実施の形態では、突設片が設けられる位置が第１の実施の形態とは異なり、その他の構成は同様である。
【００４６】
図４は、本発明の第２の実施の形態に係る鍵盤装置の１つの鍵ユニットＫＵの後部の平面図である。同図に示すように、第１の実施の形態における突設片３１に代えて、例えば、平面視における透孔４６Ａ、４６Ｂ内に、突設片３５（３５Ａ、３５Ｂ）を設けてもよい。突設片３５Ａ、３５Ｂは、白鍵２０（Ｃ鍵）、白鍵２０（Ｂ鍵）の、各垂直ヒンジ部２４の前部上端部から上方に向かって、それぞれ一体に突設されている。詳細は図示しないが、突設片３５の上端部形状は、突設片３１と同様に鉤状になっている。
【００４７】
あるいは、突設片３１または突設片３５に代えて、例えば、突設片３６（３６Ａ、３６Ｂ）を設けてもよい。すなわち、黒鍵４０（Ｄ＃鍵）に対応する２つの水平ヒンジ４２のうち右側の水平ヒンジ４２（１）と黒鍵４０（Ｆ＃鍵）に対応する２つの水平ヒンジ４２のうち左側の水平ヒンジ４２（２）との間には、間隙Ｃ１が生じている。また、黒鍵４０（Ｆ＃鍵）に対応する右側の水平ヒンジ４２（３）と黒鍵４０（Ｇ＃鍵）に対応する左側の水平ヒンジ４２（４）との間には、間隙Ｃ２が生じている。
【００４８】
そして、突設片３６Ａ、３６Ｂは、鍵ユニットＫＵが有する領有空間である、平面視における間隙Ｃ１、Ｃ２内にそれぞれ設けられる。突設片３６Ａ、３６Ｂは、白鍵２０（Ｅ鍵）、白鍵２０（Ｇ鍵）の、各垂直ヒンジ部２４の前部上端部から上方に向かって、それぞれ一体に突設されている。詳細は図示しないが、突設片３６の上端部形状は、突設片３１と同様に鉤状になっている。
【００４９】
なお、突設片３１の鉛直延設部３３は、その水平断面形状が横長の長方形であるが、突設片３５、３６の鉛直延設部に相当する部分は丸棒としてもよい。なお、設ける突設片として、突設片３１、３５、３６のいずれか１組のみを採用してもよいが、これらのうち任意の２組または３組を同時に採用してもよい。
【００５０】
本実施の形態によれば、第１の実施の形態と同様の効果を奏することができる。
【００５１】
なお、第１、第２の実施の形態では、鍵フレーム１０の上に鍵ユニットＫＵの共通基端部３０が固定される構成を採用したので、突設片３１、３５、３６の把持時に共通基端部３０がばらけることがないように、突設片３１、３５、３６は、最下層の第２白鍵ユニットＫＵＷ２の基端部２１に設けられた。しかし、鍵フレームと鍵ユニットの共通基端部との上下関係が逆である場合は、突設片の配置、構成も上下逆とし、最上層の鍵ユニットの基端部に設けるのがよい。
【００５２】
例えば、図５に変形例を示すように、複数の白鍵１２０を有する２つの白鍵ユニットＫＵＷ１ｘ、ＫＵＷ２ｘと複数の黒鍵１４０を有する１つの黒鍵ユニットＫＵＢｘから成る鍵ユニットＫＵｘを、それより上方に設けられた鍵フレーム１１０に装着する場合を考える。この場合は、鍵フレーム１１０の鍵保持部１１０ａの下端部に、鍵ユニットＫＵｘの共通基端部１３０が係合し、下方からネジ１８２で締結固定される。このような例では、突設片１３１が、最上層の黒鍵ユニットＫＵＢｘの基端部１４１に一体に形成される。そして、突設片１３１は、下方に向かって延設される。
【００５３】
結局、突設片を把持したとき、共通基端部をばらけさせずに適切に鍵ユニットＫＵを保持できるようにするためには、突設片は、鍵フレームに最も近い側の白／黒鍵ユニットの基端部に設けると共に、鍵フレームに最も遠い側の白／黒鍵ユニットの方向に突設させればよい。
【００５４】
また、突設片を、鍵フレームに最も遠い側の白／黒鍵ユニットの水平ヒンジより突出させるためには、上下方向に貫通している領域に突設片を配置すればよい。そのためには、黒鍵ユニット（ＫＵＢ、ＫＵＢｘ）の水平ヒンジ４２に透孔（透孔４６等）を形成するか、及び／又は、白／黒鍵ユニット（ＫＵＷ１、ＫＵＷ１ｘ、ＫＵＢ、ＫＵＢｘ）中の互いに隣接する鍵の水平ヒンジ（４２、２２）同士の間に間隙を設けることによって、各白／黒鍵ユニットの水平ヒンジ（鍵フレームに最も近い側の鍵ユニットを除く）において上下方向に貫通している領域（透孔４６、間隙Ｃ１、Ｃ２等）が生じるように構成する。そして、該領域内において、突設片を、最も遠い側の白／黒鍵ユニットの方向に延設させればよい。
【００５５】
なお、共通基端部に対して、鍵フレームが上側、下側両方にあって、上下両鍵フレームに共締め等で共通基端部が固定される構成も考えられる。その場合は、共通基端部が先に当接乃至載置される側の鍵フレームを「主な鍵フレーム」とみなし、突設片は、上記主な鍵フレームに最も近い側の白／黒鍵ユニットの基端部に設けると共に、上記主な鍵フレームに最も遠い側の白／黒鍵ユニットの方向に突設させればよい。
【００５６】
また、上記第１、第２の実施の形態で、突設片が基端部に設けられる場合は、突設片は基端部の前面に設けられたが、これに限るものでなく、基端部の後面から後方に延びて、その後、該基端部から遠い側の基端部の方向に延設されるように設けてもよい。
【００５７】
なお、金型による成形後に、金型から取り出して１つの鍵ユニットとしてまとめて扱う際の作業性を向上させることに限って言えば、突設片は、必ずしも鍵フレームから遠い方向に向かって突設されている必要はない。例えば、表層（外側の層）の基端部に突設片を設け、該突設片を、上記表層の基端部から最も遠い側の基端部の方向に、把持しやすい態様で突設してもよい。
【００５８】
なお、第１の実施の形態において、突設片３１の鉤部３４は、係止具を係止するのに便利ではあるが、必須ではなく、図５に例示した突設片１３１のように、鉤部を設けることなく真っ直ぐな形状としてもよい。
【００５９】
なお、第１、第２の実施の形態において、突設片３１、１３１は、基端部２１、基端部１４１に一体に設けたが、固定関係にできれば、別体で設けてもよい。突設片３５、３６と垂直ヒンジ部２４との関係についても同様である。
【００６０】
なお、第１、第２の実施の形態では、鍵ユニットＫＵは３層構造としたが、２層構造であってもよい。
【図面の簡単な説明】
【００６１】
【図１】本発明の第１の実施の形態に係る鍵盤装置の縦断面図である。
【図２】１つの鍵ユニットの平面図である。
【図３】鍵ユニットの後半部の側面図である。
【図４】本発明の第２の実施の形態に係る鍵盤装置の１つの鍵ユニットの後部の平面図である。
【図５】変形例を示す図である。
【符号の説明】
【００６２】
１  鍵盤装置、  １０、１１０  鍵フレーム（支持部材）、  ２０  白鍵、  ２２、４２  水平ヒンジ（連結部）、  ２３  白鍵本体（鍵本体部）、  ３０、１３０  共通基端部、  ４０  黒鍵、  ２１、４１、１４１  基端部、  ＫＵ、ＫＵｘ  鍵ユニット、  ＫＵＷ１、ＫＵＷ２、ＫＵＷ１ｘ、ＫＵＷ２ｘ  白鍵ユニット（ユニット）、  ＫＵＢ、ＫＵＢｘ  黒鍵ユニット（ユニット）、  ４３  黒鍵本体（鍵本体部）、  ３１、３５、３６、１３１  突設片（把持部）
【図１】
0004632087.tif 000002
【図２】
0004632087.tif 000003
【図３】
0004632087.tif 000004
【図４】
0004632087.tif 000005
【図５】
0004632087.tif 000006